(57)【要約】【課題】  自然毛と見分けがつき難く経時劣化したら捨てることができるかつらを供する【解決手段】  極薄シートからなるベース１と該ベースに植付けられた植毛材３と上記ベースの裏面に設けられる粘着層７とからなる。ベースの厚さはミクロン（μ）単位とする。上記粘着層は上記ベースの裏面に突出した植毛材の根部５を冠着する凸部９と他の部分との間に凹凸が現出される程度の薄さとして上記ベースの裏面全面に均等な厚さで形成され、人皮に付着したとき凸部がベースの表面側に盛り上がる。ベース裏面の凹凸は頭皮１３に付着されると、頭皮面に押されて持ち上がり、ベースの表面において根部を冠着する凸部が他の部分より盛り上がった状態となる。よって、ベースに当たる光が乱反射され、かつらであることの見分けがつき難くなる。植毛材はベースの表面側に頭皮により押された状態となっているので、植毛材の固定が強化され離脱（いわゆる「抜け」）を防止する。【選択図】  図３
2005113300.tif 000002
【特許請求の範囲】
【請求項１】
極薄シートからなるベースと該ベースに植付けられた植毛材と上記ベースの裏面に設けられる粘着層とからなるかつらであって、上記ベースの厚さはミクロン（μ）単位であり、上記粘着層は上記ベースの裏面に突出した植毛材の根部を冠着する凸部と他の部分との間に凹凸が現出される程度の薄さとして上記ベースの裏面全面に均等な厚さで形成され、さらに人皮に付着したとき上記凸部が上記ベースの表面側に盛り上がることを特徴とする使い捨てかつら。
【請求項２】
請求項１記載の使い捨てかつらにおいて、上記粘着層の厚さがベースの厚さを基準にして２０倍程度の範囲であることを特徴とする使い捨てかつら。
【請求項３】
請求項１記載の使い捨てかつらにおいて、上記凹凸がベースの厚さを基準にして８０μであることを特徴とする使い捨てかつら。
【発明の詳細な説明】
【技術分野】
【０００１】
本願発明はかつら、とくに使い捨てをすることができるかつらに関する。
【背景技術】
【０００２】
従来、かつらは手作業により製作される高価なものであり、使い捨てをするという発想はなかった。
【０００３】
手作業によるかつらは、従来、例えば立体形状に成形された厚手の母材に植毛材を２つ折りにして一つ一つ人手により縫い付けており、２本（２つ折りすると１本が２本になる）又は数本ずつ束になった植毛材を植えつけていた。
【０００４】
使い捨てかつらの提唱は本発明者が初めて行ったものであり、例えば本発明者が提唱した特許文献１がある。
【０００５】
【特許文献１】特願平１１−２６４１３１
【発明の開示】
【発明が解決しようとする課題】
【０００６】
従来の手植え作業によるかつらでは例えば２万本の植毛材を３週間位かかって植え付けるのがせいぜいであり、作業効率が極端に悪いという欠点があった。またコスト高を嫌い人件費の安い海外で生産すると、不良品が多く発生し歩留まりが悪いという欠点があった。
【０００７】
一方本発明者の試行において、ベース裏面に塗布法あるいは噴霧法などにより、粘着層を形成すると、粘着層が厚くなったり、粘着面が均一に形成できなかったりした。
【０００８】
ベース裏面に形成する粘着層を含め、ベースが薄皮状に形成されないと、皮膚に付けたとき段差が目立ち、いかにも「かつら」然となって外観上自然毛と見分けがつき易くなる。
【０００９】
また粘着面が均一でないと、かつらの付着面にしわがよったり等して、これも外観上不自然な感じを与える。
【００１０】
さらに粘着面が均一でないと、接着強度にばらつきが出て部分的に剥れ易くなる等の問題があった。
【００１１】
本願発明の目的は上記欠点を解消すること、具体的には、自然毛と見分けがつき難くなり、経時劣化したら捨てることができるかつらを供することである。
【課題を解決するための手段】
【００１２】
上記目的達成のため、本願発明による使い捨てかつらは、極薄シートからなるベースと該ベースに植付けられた植毛材と上記ベースの裏面に設けられる粘着層とからなるかつらであって、上記ベースの厚さはミクロン（μ）単位であり、上記粘着層は上記ベースの裏面に突出した植毛材の根部を冠着する凸部と他の部分との間に凹凸が現出される程度の薄さとして上記ベースの裏面全面に均等な厚さで形成され、さらに人皮に付着したとき上記凸部が上記ベースの表面側に盛り上がることを特徴とする。
また、請求項１記載の使い捨てかつらにおいて、上記粘着層の厚さがベースの厚さを基準にして２０倍程度の範囲であることを特徴とする。
また、請求項１記載の使い捨てかつらにおいて、上記凹凸がベースの厚さを基準にして８０μであることを特徴とする。
【発明の効果】
【００１３】
ベース裏面の凹凸は人体の皮膚（例えば頭皮）に付着されると、人体の頭皮面が平滑であるため、頭皮面に押されて持ち上がる。このためベースの表面において、植毛材の根部を冠着する凸部が他の部分（凹部）より盛り上がった状態となる。
【００１４】
このようにベースの表面全体に凹凸が出来ると、ベースに当たる光が乱反射されるのでベースが光らず、かつらであることの見分けがつき難い。
【００１５】
また凹凸の反転現象（当初下向きの凹凸が上向きになる現象）により、植毛材は薄い粘着層を介してベースの表面側に頭皮により押された状態となっているので、植毛材の固定が強化されベースからの植毛材の離脱（いわゆる「抜け」）を防止する。
【発明を実施するための最良の形態】
【００１６】
次に、実施の形態を示す図面に基づき本願発明による使い捨てかつらをさらに詳しく説明する。なお、便宜上同一の機能を奏する部分には同一の符号を付してその説明を省略する。
【実施例１】
【００１７】
１はベースであり、人皮程度の極薄のシート（例えば厚さ３０μ）からなる。該ベース１は伸縮性のある無色透明の素材、例えばポリウレタン製であり、平面状に形成される。３は該ベース１に植付けられた植毛材であり、ポリエステル繊維からなる。該植毛材３は例えばＶ型植毛法により植え付けられる。４は該植毛材３の植え付け時に図示しないピンにより、根部５に点状に付与された接着剤であり、根部５をベース１の裏面に固着する。これにより、植え付けられた植毛材３のベース１への固着が強固となり、植毛材３の立設状態を支える。植え付けられた植毛材３の根部５は、ベース１の裏面に突設状態となっている。６は植付けられた植毛材３の自由端部である。７は粘着層であり、上記ベース１の裏面全面に均等な厚さで形成される。該粘着層７の厚さＢは、上記根部５を冠着する凸部９と他の部分（凹部１１）との間に凹凸が現出される程度の薄さに形成する。
【００１８】
上記粘着層７はアクリル系粘着剤からなり、転写法により形成する。即ち、両面に剥離紙１５、１７を設けたアクリル系粘着剤の一の面の剥離紙（ＰＥＴ）１５を剥してその面をベース１の裏面全面に固着し、使用時に他の面の剥離紙１７を剥して頭皮等人体の適用部位に貼付する。
【００１９】
表１に粘着層７の厚さＢの実施例及びこれとベース１の厚さＡとの比（Ｂ／Ａ比）並びに粘着層７の凹凸（凸部９から凹部１１までの高さ）Ｃの実施例及びこれとベース１の厚さＡとの比（Ｃ／Ａ比）を各示す。なお、表１において小数点第２位以下は４捨５入である。
【００２０】
【表１】
2005113300.tif 000003
【００２１】
Ｂ／Ａ比はベース１の厚さＡが一定のため粘着層７の厚さＢに比例するが、粘着層７の厚さＢが均一であるために粘着層７の凹凸Ｃが一定となるので、Ｃ／Ａ比が一定となる。これにより、次に述べるような作用効果を有する。
【００２２】
まず、図３に示すように、ベース１裏面の凹凸は人体の皮膚（例えば頭皮１３）に付着されると、人体の頭皮面１３が平滑であるため、頭皮面１３に押されて持ち上がる。
【００２３】
このためベース１の表面において、植毛材３の根部５を冠着する凸部９が凹部１１より盛り上がった状態となる。これを凹凸の反転現象（当初下向きの凹凸が上向きになる現象）という。これはベース１及び粘着層７が均一の極薄に形成されているために起こる。凸部９の盛り上がった状態を「９Ａ」と示す。
【００２４】
このようにベース１の表面全体に凹凸が出来ると、ベース１に当たる光（矢印で示す）が乱反射されるので、ベース１が光らず、かつらであることの見分けがつき難い。
【００２５】
人体に付着したときのかかる凹凸の反転現象により、植毛材３は矢印Ｆにて示すように薄い粘着層７を介してベース１の表面側に頭皮１３により押された状態となっているので、植毛材３の固定が強化され、ベース１からの植毛材３の離脱（いわゆる「抜け」）を防止する。
【００２６】
図３に示すように、植毛材３を植付けていない部分（凹部１１）のベース１への光透過率はベース１及び粘着層７が極薄のため大であるので、頭皮が透けて見える。よってこの面からもかつらであることの見分けがつき難い。
【００２７】
粘着層は転写法により形成されＣ／Ａ比が一定であるため、粘着面を機械的工業的に均一かつ極薄に製造することができる。
【００２８】
ベース１は収縮性素材からなるため、人体への付着後ベース１の収縮により根付けした部分の存在を目立たせない効果がある。
【００２９】
上記人体との一体化により、例えば位置ズレの心配なく自由に掻くこと、ブラッシング、着けたままでの洗髪や水泳等々が可能となる。また皮膚との間に隙間なく密着するから自然毛との親和性が大となり、接触しても違和感がない。また皮膚との間に隙間がないからたたいても音がしない。よって、使用者の精神的不安の生ずる余地がない。
【００３０】
従来は例えば頭部に載せ自毛と結着する方式が多かったが、本願発明は皮膚に直接接着するから、自毛のないところ、例えば無毛症における陰部などにも適用でき、適用部位を選ばない。また、自毛にかかっていた負担が全くない。
【００３１】
本願発明は上記した実施の形態に限定されない。例えば、上記実施例で述べたベース１の厚さ、粘着層７の厚さ、ベース１の凹凸の数値は一例として理解するべきであり、本願発明の趣旨を逸脱しない限り数値の変更は許される。例えば、ベース１の厚さＡ、粘着層７の厚さＢ、ベース１の凹凸Ｃは表２の如く変更することができる。
【００３２】
【表２】
2005113300.tif 000004
【００３３】
表１又は表２に示すＢ／Ａ比の変化は、適用される皮膚の部位や環境に合わせて使い分けることができる。例えば、多汗症や皮脂分泌の多い部位に適用する場合には、粘着層７に汗や皮脂を吸収する機能があることより、Ｂ／Ａ比の大なるタイプを使用する。また自毛が生えてくる部位に適用する場合には、自毛の成長阻害とならないようＢ／Ａ比の小なるタイプを使用する。
【００３４】
ベース１は厚さが厚くなるほど引張強度が大となり、薄くなるほど皮膚との親和性が大となるので、例えば眉毛や髭など引張強度よりも親和性を重視する部位への適用の場合はベース１厚の薄いタイプを使用するのが望ましい。
【００３５】
また植毛材の植え付けの方法は任意である。
【産業上の利用可能性】
【００３６】
本願発明は全く新しいタイプのかつらとして活用することができる。
【図面の簡単な説明】
【００３７】
【図１】本願発明による使い捨てかつらの実施の形態を示す斜視図である。
【図２】図１のＩＩ−ＩＩ拡大断面図である。
【図３】本願発明による使い捨てかつらを装着した状態の図である。
【符号の説明】
【００３８】
１    ベース
３    植毛材
４    接着剤
５    根部
７    粘着層
９    凸部
１１  凹部
１３  頭皮
１５  剥離紙
１７  剥離紙
【図１】
2005113300.tif 000005
【図２】
2005113300.tif 000006
【図３】
2005113300.tif 000007